(57)【要約】【課題】１００％未満の空き領域しか有さないＡＵの発生を低減できる記録装置を提供することを目的とする。【解決手段】所定の記録単位でデータを記録できる記憶媒体と、記憶媒体に動画像データ若しくは静止画像データを記録可能な記録手段と、記憶媒体に記憶されている動画像データ若しくは静止画像データを削除可能な削除手段と、記憶媒体に記憶されているデータの配置の変更を指示可能な再配置手段と、を備え、再配置手段は、削除手段により動画像データが削除されるのに応じて、静止画像データの再配置の指示を行う。【選択図】図１
2011199729.tif 000002
【特許請求の範囲】
【請求項１】
所定の記録単位でデータを記録できる記憶媒体と、
前記記憶媒体に動画像データ若しくは静止画像データを記録可能な記録手段と、
前記記憶媒体に記憶されている動画像データ若しくは静止画像データを削除可能な削除手段と、
前記記憶媒体に記憶されているデータの配置の変更を指示可能な再配置手段と、を備え、
前記再配置手段は、前記削除手段により動画像データが削除されるのに応じて、前記静止画像データの再配置の指示を行う、
記録装置。
【請求項２】
前記再配置手段は、前記削除手段により動画像データが削除された際、前記記録単位未満の容量を記憶している領域の空き容量の合計が前記記録単位以上である場合に、前記静止画像データの再配置の指示を行う、
請求項１に記載の記録装置。
【請求項３】
前記記憶媒体は着脱可能である、
請求項１又は２に記載の記録装置。
【発明の詳細な説明】
【技術分野】
【０００１】
本発明は記録装置に関し、特に、所定の記録単位でデータを記録する記憶媒体にデータを記録する記録装置に関する。
【背景技術】
【０００２】
特許文献１は、映像記録装置を開示する。この映像記録装置は、ハードディスクに映像を記録する。この映像記録装置は、ハードディスクに記録している映像が消去され、断片的な空きスペースが発生した場合に映像の移動を行う。
【０００３】
これにより、この映像記録装置によれば、記録と消去を繰り返してもデータと空きスペースが断片的に記録されることがなく、常にデータを連続的に記録することができ、データの出し入れを行うことができる。
【先行技術文献】
【特許文献】
【０００４】
【特許文献１】特開平１１−４５５１８号公報
【発明の概要】
【発明が解決しようとする課題】
【０００５】
しかしながら、上記特許文献１に開示されている映像記録装置は、ハードディスクに映像の記録を行うため、常に、セクタ単位で映像を記録する。従って、所定の記録単位で映像を取り扱うが所定の記録単位の一部にだけ映像を記録できるような記録媒体については考慮されていない。つまり、１００％未満の空き領域しか有さない記録単位が発生することがそもそも考慮されていない。
【０００６】
本発明は、１００％未満の空き領域しか有さない記録単位の発生を低減できる記録装置を提供することを目的とする。
【課題を解決するための手段】
【０００７】
上記課題を解決するために、本発明にかかる記録装置は、所定の記録単位でデータを記録できる記憶媒体と、記憶媒体に動画像データ若しくは静止画像データを記録可能な記録手段と、記憶媒体に記憶されている動画像データ若しくは静止画像データを削除可能な削除手段と、記憶媒体に記憶されているデータの配置の変更を指示可能な再配置手段と、を備え、再配置手段は、削除手段により動画像データが削除されるのに応じて、静止画像データの再配置の指示を行う。
【発明の効果】
【０００８】
これにより、１００％未満の空き領域しか有さない記録単位の発生を低減できる記録装置を提供できる。
【図面の簡単な説明】
【０００９】
【図１】デジタルビデオカメラ１００の構成を示すブロック図
【図２】動画シーンの削除動作を説明するためのフローチャート
【図３】メモリカード２４０内のＡＵ状態の遷移を示す模式図
【発明を実施するための形態】
【００１０】
〔１．実施の形態１〕
〔１−１．構成〕
本実施の形態にかかるデジタルビデオカメラ１００の電気的構成について、図１を用いて説明する。図１は、デジタルビデオカメラ１００の構成を示すブロック図である。デジタルビデオカメラ１００は、ズームレンズ１１０等からなる光学系により形成された被写体像をＣＣＤイメージセンサー１８０で撮像する。ＣＣＤイメージセンサー１８０で生成された映像データは、画像処理部１９０で各種処理が施され、メモリカード２４０に格納される。また、メモリカード２４０に格納された映像データは、液晶モニタ２７０で表示可能である。以下、デジタルビデオカメラ１００の構成を詳細に説明する。
【００１１】
デジタルビデオカメラ１００の光学系は、ズームレンズ１１０、ＯＩＳ１４０、フォーカスレンズ１７０を含む。ズームレンズ１１０は、光学系の光軸に沿って移動することにより、被写体像を拡大又は縮小可能である。また、フォーカスレンズ１７０は、光学系の光軸に沿って移動することにより、被写体像のピントを調整する。
【００１２】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００１３】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００１４】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。また、検出器１６０は、ＯＩＳ１４０内における補正レンズの移動量を検出する。
【００１５】
ＣＣＤイメージセンサー１８０は、ズームレンズ１１０等からなる光学系で形成された被写体像を撮像して、映像データを生成する。ＣＣＤイメージセンサー１８０は、露光、転送、電子シャッタなどの各種動作を行う。
【００１６】
画像処理部１９０は、ＣＣＤイメージセンサー１８０で生成された映像データに対して各種の処理を施す。画像処理部１９０は、ＣＣＤイメージセンサー１８０で生成された映像データに対して処理を施し、液晶モニタ２７０に表示するための映像データを生成したり、メモリカード２４０に再格納するための映像データを生成したりする。例えば、画像処理部１９０は、ＣＣＤイメージセンサー１８０で生成された映像データに対してガンマ補正やホワイトバランス補正、傷補正などの各種処理を行う。また、画像処理部１９０は、ＣＣＤイメージセンサー１８０で生成された映像データに対して、Ｈ．２６４規格やＭＰＥＧ２規格に準拠した圧縮形式等により映像データを圧縮する。画像処理部１９０は、ＤＳＰやマイコンなどで実現可能である。
【００１７】
コントローラー２１０は、全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００１８】
メモリ２００は、画像処理部１９０及びコントローラー２１０のワークメモリとして機能する。メモリ２００は、例えば、ＤＲＡＭ、強誘電体メモリなどで実現できる。
【００１９】
液晶モニタ２７０は、ＣＣＤイメージセンサー１８０で生成した映像データが示す画像や、メモリカード２４０から読み出した映像データが示す画像を表示可能である。
【００２０】
ジャイロセンサー２２０は、圧電素子等の振動材等で構成される。ジャイロセンサー２２０は、圧電素子等の振動材を一定周波数で振動させコリオリ力による力を電圧に変換して角速度情報を得る。ジャイロセンサー２２０から角速度情報を得、この揺れを相殺する方向にＯＩＳ内の補正レンズを駆動させることにより、デジタルビデオカメラ１００は、使用者による手振れを補正する。
【００２１】
カードスロット２３０は、メモリカード２４０を着脱可能である。カードスロット２３０は、機械的及び電気的にメモリカード２４０と接続可能である。メモリカード２４０は、フラッシュメモリや強誘電体メモリなどを内部に含み、データを格納可能である。
【００２２】
内部メモリ２８０は、フラッシュメモリや強誘電低メモリなどで構成される。内部メモリ２８０は、デジタルビデオカメラ１００全体を制御するための制御プログラム等を格納する。
【００２３】
操作部材２５０は、使用者から画像の撮像指示を受け付ける部材である。ズームレバー２６０は、使用者からズーム倍率の変更指示を受け付ける部材である。
【００２４】
〔１−２．動作〕
本実施の形態にかかるデジタルビデオカメラ１００における動画シーンの削除動作について図２を用いて説明する。図２は本実施の形態におけるデジタルビデオカメラ１００における動画シーンの削除動作を説明するためのフローチャートである。
【００２５】
デジタルビデオカメラ１００は、メモリカード２４０に動画シーンを記録する。ユーザーは、操作部材２５０を操作することにより、メモリカード２４０に記憶されている動画シーンを削除できる。
【００２６】
デジタルビデオカメラ１００において、ユーザーによる動画削除操作が発生した場合、ステップＳ１１０において、コントローラー２１０は、動画シーンの削除を実行する。動画シーンの削除を実行すると、コントローラー２１０は、ステップＳ１２０において、削除した動画シーンの先頭ＡＵ（Ａｌｌｏｃａｔｉｏｎ  Ｕｎｉｔ）が１００％空き状態であるか否かを判断する。ここで、ＡＵとは、メモリカード２４０において規定されている速度保証記録を行う場合の記録単位であり、メモリカード２４０は、１００％空き状態のＡＵに対して、ＡＵ先頭からシーケンシャルに記録した場合、上記速度保証記録を実現することができる。
【００２７】
当該領域がＡＵサイズに等しかった場合、すなわち１００％空き状態のＡＵであった場合、ステップＳ１３０において動画空き容量に割り当てる処理を行い、その結果、動画空き容量はＡＵサイズ分増加する。
【００２８】
逆に、ステップＳ１４０で確認した領域がＡＵサイズ未満であった場合、ステップＳ１４０において、静止画空き容量に割り当てる処理を行い、ＡＵサイズ未満の空き領域に関して加算処理を行う。
【００２９】
引き続き、ステップＳ１５０において、上記ＡＵサイズ未満の静止画空き領域の和がＡＵサイズに到達したか否かの判定を行う。ＡＵサイズ未満の静止画空き領域の和がＡＵサイズに到達した場合、ステップＳ１６０の処理に移行する。ステップＳ１６０では、静止画空き領域の再配置処理を実行し、１００％空き状態のＡＵを作成する。そして、１００％空き状態となったＡＵの動画空き領域への振替処理を行う。その結果、動画空き容量はＡＵサイズ分増加し、静止画空き容量はＡＵサイズ分減少する。
【００３０】
そして、ステップＳ１７０において、現在処理中のＡＵが、削除した動画シーン内における最終ＡＵかどうかの確認を行い、最終ＡＵであった場合は処理を終了する。また、最終ＡＵでなかった場合は、ステップＳ１８０で次のＡＵに対象を変更する処理を行った上で、ステップＳ１２０以降の処理を継続する。
【００３１】
ここで、図２の制御におけるメモリカード２４０内のＡＵ状態の遷移を、図３を用いて具体的に説明する。図３は、本実施の形態におけるデジタルビデオカメラ１００のコントローラー２１０の制御におけるメモリカード２４０内のＡＵ状態の遷移を示す模式図である。
【００３２】
図３において、（Ａ）は動画シーン削除実行前、すなわち、図２のステップＳ１００の状態におけるメモリカード２４０のＡＵ状態を示している。シーン１は２つのＡＵにまたがる領域から構成されており、更に、シーン１とシーン２の境界は、単一ＡＵ内に存在する。また、シーン１、２が存在するＡＵとは別のＡＵに、静止画のみが記録された状態で、かつ１００％未満の空き領域を有するＡＵが存在する。
【００３３】
今、図２のステップＳ１１０が実行され、シーン１が削除された場合を考える。この時のＡＵ状態は、図３の（Ｂ）によって表されている。
【００３４】
図３の（Ｂ）における、シーン１削除領域の前半のＡＵは、１００％空き状態のＡＵである。従って、図２のステップＳ１２０→ステップＳ１３０の経路の処理により、動画空き容量に割り当てられる。
【００３５】
一方、図３の（Ｂ）における、シーン１削除領域の後半のＡＵは、１００％未満の空き領域が生じたＡＵである。当該ＡＵについては、図２のステップＳ１２０→ステップＳ１４０の処理によって静止画空き容量に割り当てられる。
【００３６】
ここで、動画削除操作によって新たに静止画空き容量に割り当てられた上記領域と、既に静止画のみが記録された状態のＡＵにおける空き領域の和が、ＡＵサイズに到達したかどうかを評価する。これは、図２におけるステップＳ１５０の処理に該当する。
【００３７】
評価の結果、１００％ＡＵ相当分の空き領域が生じていることが分かったため、ＡＵの再配置処理を実行する。今回の例では、図２のステップＳ１６０に該当する処理として、静止画記録データを、シーン１削除領域の後半のＡＵに移動する処理が実行される。
【００３８】
上記処理の結果、メモリカード２４０のＡＵ状態は、図３の（Ｃ）の状態に遷移する。静止画データの（動画）シーン１削除領域後半ＡＵへの再配置処理によって、１００％空き状態となったＡＵは、動画記録が可能な状態となり、動画空き容量に割り当てられる。そして、シーン１削除領域後半ＡＵの空き領域は、引き続き、静止画空き領域として利用される。
【００３９】
このように、本実施の形態にかかるデジタルビデオカメラ１００は、動画シーンを削除した際、１００％未満の空き領域を有するＡＵの空き領域の合計１００％を超えたときに、静止画データの再配置を行うこととした。これにより、１００％未満の空き領域しか有さないＡＵの発生を低減できる。その結果、動画記録残量の目減りを低減できる。
〔２．他の実施の形態〕
以上により、本発明の実施の形態として、実施の形態１を説明した。しかし、本発明は、これらには限定されない。そこで、本発明の他の実施の形態を本欄にまとめて説明する。
【００４０】
本実施の形態にかかるデジタルビデオカメラ１００の光学系及び駆動系は、図１に示すものに限定されない。例えば、図１では３群構成の光学系を例示しているが、他の群構成のレンズ構成としてもよい。また、それぞれのレンズは、１つのレンズで構成してもよく、複数のレンズから構成されるレンズ群として構成してもよい。
【００４１】
また、実施の形態１では、撮像手段として、ＣＣＤイメージセンサー１８０を例示したが、本発明はこれに限定されない。例えば、ＣＭＯＳイメージセンサーで構成してもよく、ＮＭＯＳイメージセンサーで構成してもよい。
【００４２】
また、実施の形態１では、AUの再配置処理を静止画のみが記録されており、かつ１００％未満の空き領域を有するＡＵに対して適用したが、再配置処理の対象となるＡＵは、１００％未満の空き領域を有するＡＵであれば、動画データのみ、あるいは、動画＋静止画データ混在状態のＡＵであっても構わない。
【００４３】
また、当該実施の形態１においては、記録媒体として、ＡＵの概念を有するメモリカードを対象としたが、別途、仮想的なＡＵ単位を定義し、仮想的なＡＵ単位に対して、同様の処理を適用することによって、ＡＵの概念を持たないメモリカード、内蔵型フラッシュメモリ、あるいはＨＤＤ等の記録媒体に対しても、本発明は有効となる。
【産業上の利用可能性】
【００４４】
本発明は、デジタルビデオカメラやデジタルスチルカメラ等の撮像装置に適用できる。
【符号の説明】
【００４５】
１００    デジタルカメラ
１１０    ズームレンズ
１２０    検出器
１３０    ズームモータ
１４０    ＯＩＳ
１５０    ＯＩＳアクチュエータ
１６０    検出器
１７０    フォーカスレンズ
１８０    ＣＣＤイメージセンサー
１９０    画像処理部
２００    メモリ
２１０    コントローラー
２２０    ジャイロセンサー
２３０    カードスロット
２４０    メモリカード
２５０    操作部材
２６０    ズームレバー
２７０    液晶モニタ
２８０    内部メモリ
【図１】
2011199729.tif 000003
【図２】
2011199729.tif 000004
【図３】
2011199729.tif 000005